(57)【特許請求の範囲】
【請求項１】
対物レンズを有する光ピックアップをディスクの径方向へ移送する光ピックアップ移送機構であって、前記対物レンズを搭載して側方に被案内部を突設したベースと、所定方向に延設されたガイド面を有し前記被案内部を介してベースを摺動可能に支持する移送案内部材と、この移送案内部材の前記ガイド面に向けて前記被案内部を付勢する弾性部材とを備え、前記ガイド面の延設方向に沿って前記光ピックアップを移送する光ピックアップ移送機構において、前記被案内部および前記移送案内部材がいずれも合成樹脂製であり、かつ、前記被案内部に前記ガイド面と対向する凹溝を設け、この凹溝に断面円形の金属ピンを嵌入すると共に、この金属ピンの外周面を前記ガイド面に摺接させたことを特徴とする光ピックアップ移送機構。
【請求項２】
請求項１の記載において、前記凹溝を内底面が平坦で前記ガイド面に近い側が先窄まりな形状となし、この凹溝の前記内底面に前記金属ピンの外周面を当接させたことを特徴とする光ピックアップ移送機構。
【請求項３】
請求項１または２の記載において、前記被案内部に前記凹溝に連通して前記金属ピンの前記ガイド面と対向しない側を臨む透孔を設け、この透孔から接着剤を注入して前記凹溝内に前記金属ピンを固定したことを特徴とする光ピックアップ移送機構。
【請求項４】
請求項１〜３のいずれかの記載において、前記金属ピンの長手方向を前記ガイド面の延設方向に対して略直交させたことを特徴とする光ピックアップ移送機構。
【発明の詳細な説明】
【０００１】
【発明の属する技術分野】
本発明は、光ピックアップをディスクの径方向へ移送するための移送機構に係り、特に、コストダウンや軽量化に好適な光ピックアップ移送機構に関する。
【０００２】
【従来の技術】
光ピックアップを用いてＣＤ（コンパクトディスク）やＭＤ（ミニディスク）あるいはＤＶＤ（デジタルバーサタイルディスク）等のディスクに対して情報の記録や再生を行うディスク装置には、該光ピックアップをディスクの径方向に沿って移送するために、図７に示すような光ピックアップ移送機構が具備されている。
【０００３】
同図において、光ピックアップＰ0 は、対物レンズ２、この対物レンズ２を駆動するための駆動機構（図示せず）、これら対物レンズ２や対物レンズ駆動機構および対物レンズ２を介してディスクにレーザ光を照射するための光学素子等を搭載するベース１から主に構成されている。ベース１は、移送案内部材であるガイドシャフト３とスクリューシャフト４との間に配置されている。これらのガイドシャフト３およびスクリューシャフト４は、図示せぬ機構シャーシ上で互いに平行に対向配置されており、スクリューシャフト４は図示せぬスレッドモータによって正逆両方向へ回転駆動されるようになっている。ベース１の両側部には被案内部である受け部１ａ，１ｂが突設されており、一方の受け部１ａはガイドシャフト３の周面に当接し、他方の受け部１ｂはスクリューシャフト４に遊挿されている。また、ベース１には板ばね５が片持ち梁状にねじ止めされており、この板ばね５の自由端側にはハーフナットと呼ばれる雌ねじ部材６が固定されている。そして、この雌ねじ部材６に約半周にわたって歯部が刻設されており、この歯部が板ばね５からの弾発力を受けてスクリューシャフト４のねじ部に噛合している。
【０００４】
このように概略構成された光ピックアップ移送機構においては、スクリューシャフト４が正逆いずれかの方向へ回転すると、その回転力が雌ねじ部材６により直線運動に変換されてベース１に伝達されるため、ベース１がガイドシャフト３およびスクリューシャフト４のスラスト方向（図７の左右方向）に沿って移動する。その結果、ベース１を介して光ピックアップ２全体が図示せぬディスクの径方向へ移送されることとなり、該ディスクに対する情報の記録動作や再生動作が可能となる。
【０００５】
【発明が解決しようとする課題】
ところで、近年、光ピックアップ移送機構のコストダウンや軽量化を促進するために、光ピックアップのベースをアルミダイカスト等の金属材料に代えて合成樹脂製成形品となし、併せてガイドシャフトをステンレス等の金属シャフトに代えて略円筒面状のガイド面を有する合成樹脂成形品にするという技術が普及しつつある。しかしながら、このようにベースとガイドシャフトを共に合成樹脂成形品にした場合、ガイドシャフトに対して常に同一個所が摺接することになるベースの受け部側が摩耗し、その結果、ベースに搭載された対物レンズの光軸が傾いてしまい、記録または再生機能が劣化するという問題がある。特に、車載用のディスク装置などでは剛性や耐熱性に優れた材料が必要であり、合成樹脂材もガラス繊維を混入したＰＰＳ等を使用することが多いため、合成樹脂材どうしが摺動を繰り返すと摩耗が進行しやすくなる。なお、このような問題は、もう１つの移送案内部材であるスクリューシャフトを合成樹脂成形品にした場合にも同様に発生する。
【０００６】
本発明は、このような従来技術の実情に鑑みてなされたもので、その目的は、光ピックアップのベースと移送案内部材とを共に合成樹脂製にしたにも拘らず、樹脂どうしの摺接に懸念される摩耗の進行を抑えることができ、信頼性を損なわずにコストダウンが図れる光ピックアップ移送機構を提供することにある。
【０００７】
【課題を解決するための手段】
上述した目的を達成するため、本発明は、対物レンズを有する光ピックアップをディスクの径方向へ移送する光ピックアップ移送機構であって、前記対物レンズを搭載して側方に被案内部を突設したベースと、所定方向に延設されたガイド面を有し前記被案内部を介してベースを摺動可能に支持する移送案内部材と、この移送案内部材の前記ガイド面に向けて前記被案内部を付勢する弾性部材とを備え、前記ガイド面の延設方向に沿って前記光ピックアップを移送する光ピックアップ移送機構において、前記被案内部および前記移送案内部材がいずれも合成樹脂製であり、かつ、前記被案内部に前記ガイド面と対向する凹溝を設け、この凹溝に断面円形の金属ピンを嵌入すると共に、この金属ピンの外周面を前記ガイド面に摺接させることとした。
【０００８】
このような構成の光ピックアップ移送機構は、被案内部を含むベースと、このベースを摺動可能に支持する移送案内部材とを、いずれも樹脂成形品となすことでコストダウンや軽量化が図りやすく、かつ、被案内部の凹溝に嵌入した金属ピンを移送案内部材のガイド面に摺接させるので、合成樹脂材どうしを摺接させた場合に懸念される摩耗の進行を抑えることができて高信頼性を維持しやすい。しかも、凹溝に嵌入させる断面円形の金属ピンは、安価にして寸法精度の高い市販のステンレス平行ピン等を使用できるので、金属ピン専用の金型をわざわざ用意する必要がなく、それゆえ金属ピン自体もコストアップの要因とはならない。さらに、この断面円形の金属ピンを移送案内部材のガイド面に摺接させてベースを移送方向に往復移動させると、ガイド面に塗布されている潤滑油（グリース）が、金属ピンの摺接個所の前後に形成されるくさび状の隙間に常に溜められた状態となるので、このくさび状の隙間がグリース溜りとして機能し、金属ピンの円滑な摺動が保証されるという利点がある。
【０００９】
また、かかる光ピックアップ移送機構において、前記凹溝を内底面が平坦で前記ガイド面に近い側が先窄まりな形状となし、この凹溝の前記内底面に前記金属ピンの外周面を当接させる構成にしておけば、ガイド面に対する相対位置が規定しやすい該内底面を基準にして金属ピンを凹溝に取り付けることができるので、金属ピンとガイド面との相対的な位置精度が高まり、設計段階や組立段階での寸法管理が容易になる。
【００１０】
また、かかる光ピックアップ移送機構において、前記被案内部に前記凹溝に連通して前記金属ピンの前記ガイド面と対向しない側を臨む透孔を設け、この透孔から接着剤を注入して前記凹溝内に前記金属ピンを固定する構成にしておけば、軽微な力で凹溝に挿入した金属ピンを接着剤によって被案内部に強固に固定することができ、また接着剤が金属ピンの前記ガイド面側に付着することもないので、組立作業性の向上が図れる。
【００１１】
また、かかる光ピックアップ移送機構において、前記金属ピンの長手方向（前記凹溝の長手方向）を前記ガイド面の延設方向に対して略直交させておけば、金属ピンとガイド面との接触面積を最小に保ったままベースを移送させることができるので、金属ピンとガイド面との摺動抵抗が極めて小さくなり、移送時に金属ピンがガイド面に引っ掛かって光ピックアップを傾けてしまう等の不具合を起こしにくくなり好ましい。例えば、ガイド面が円筒面であれば、その母線に対して略直交する向きに金属ピンを配置させることにより、金属ピンとガイド面とを点接触状態に保つことができる。
【００１２】
【発明の実施の形態】
以下、発明の実施の形態について図面を参照して説明すると、図１は本発明の一実施形態例に係るベースの一側部と移送案内部材との係合状態を示す要部正面図、図２は該ベースの一側部と移送案内部材との係合状態を示す要部側面図、図３は光ピックアップの全体平面図、図４はベースの一側部の斜視図、図５は該ベースの一側部の正面図、図６は該ベースの一側部の側面図である。
【００１３】
これらの図において、光ピックアップＰは、対物レンズ１０とその駆動機構（図示せず）、およびディスクに対してレーザ光を照射する光学素子が搭載されたベース１２を備えている。このベース１２は、両側部に突設した受け部１３，１４を含む全体が合成樹脂から形成されており、一方の受け部１３には金属ピン１５が付設してある。受け部１３，１４は被案内部であり、一方の受け部１３は先端に略円柱状のガイド面１６ａを有する合成樹脂製のガイド体１６に係合させてあり、他方の受け部１４は図示せぬスクリューシャフトに遊挿させてある。そして、このスクリューシャフトを図示せぬスレッドモータによって正逆両方向へ回転駆動することにより、ベース１２は図２，３の左右方向へ移送されるようになっている。
【００１４】
ベース１２の一方の受け部１３には、ガイド体１６のガイド面１６ａと対向する部位に、ガイド面１６ａの延設方向（母線方向）に対して直交する方向に延びる凹溝１３ａが設けてある。この凹溝１３ａは、内底面１３ｂが平坦でガイド面１６ａに近い側が先窄まりな形状に形成されており、この凹溝１３ａに挿入された円柱状の金属ピン１５は、内底面１３ｂに当接することにより位置決めされ、金属ピン１５の図示下端部が凹溝１３ａから所定量突出するように設計されている。そして、ベース１２の一側部の底面側に固定されている板ばね１７の自由端部をこの金属ピン１５の下端部と対向させており、該自由端部と金属ピン１５との間にガイド体１６を配置させる構成にしてあるので、金属ピン１５は板ばね１７の付勢力によりガイド体１６のガイド面１６ａに対して常時摺接するようになっている。なお、凹溝１３ａは長手方向の一端部が開口しているので、この開口部分から凹溝１３ａ内へ金属ピン１５を挿入することができるが、凹溝１３ａの該開口部分の周縁部と金属ピン１５の長手方向両端面にそれぞれ面取り部１３ｃ，１５ａが形成されているので、金属ピン１５は引っ掛かることなく円滑に凹溝１３ａ内へ挿入することができる。また、受け部１３の上面側には、凹溝１３ａに連通して図１における金属ピン１５の上端部側に開口する透孔１３ｄが設けてあり、この透孔１３ｄから注入して充填させた接着剤１８によって、凹溝１３ａ内の金属ピン１５は強固に固定されている。
【００１５】
なお、図示はしていないが、ベース１２の他方の受け部１４側には、スクリューシャフトのねじ部に噛合させるための雌ねじ部材や、この雌ねじ部材に弾発力を付与するための板ばねが取り付けられる。
【００１６】
このように本実施形態例では、受け部１３，１４を含むベース１２と、一方の受け部１３を介してベース１２を摺動可能に支持するガイド体１６とが共に樹脂成形品にしてあるので、安価にして軽量な光ピックアップ移送機構となっている。ただし、受け部１３をガイド体１６のガイド面１６ａに直接摺接させるのではなく、受け部１３の凹溝１３ａに嵌入して固定した金属ピン１５の外周面をガイド面１６ａに摺接させるので、合成樹脂材どうしを摺接させた場合に懸念される摩耗の進行を抑えることができ、それゆえ長期にわたって光ピックアップＰを安定した姿勢で移送可能な信頼性が確保されている。なお、凹溝１３ａに嵌入させる円柱状等の断面円形の金属ピン１５としては、安価で寸法精度も高い市販のステンレス平行ピンが好適であり、金属ピン専用の金型を用意する必要はない。それゆえ、合成樹脂製の受け部１３に付設した金属ピン１５自体がコストアップの要因となる心配はない。また、この円柱状の金属ピン１５をガイド体１６のガイド面１６ａに摺接させてベース１２を移送方向に往復移動させると、ガイド面１６ａに塗布されている図示せぬ潤滑油（グリース）が、金属ピン１５の摺接個所の前後に画成されるくさび状の隙間Ｃ１，Ｃ２（図２参照）に常に溜められた状態となるので、これらの隙間Ｃ１，Ｃ２がグリース溜りとして機能することになる。それゆえ、金属ピン１５の摺接個所で潤滑油不足が発生する可能性が低く、ガイド面１６ａに対して金属ピン１５を常に円滑に摺動させやすくなっている。
【００１７】
また、本実施形態例では、凹溝１３ａに挿入した金属ピン１５が、凹溝１３ａの平坦な内底面１３ｂに当接して位置決めされるようにしてあるが、このようにガイド面１６ａに対する相対位置が規定しやすい平坦な内底面１３ｂを基準にして金属ピン１５を凹溝１３ａ内に嵌入する構成にしておけば、金属ピン１５とガイド面１６ａとの相対的な位置精度が高めやすくなるので、設計段階や組立段階での寸法管理が容易になる。
【００１８】
また、本実施形態例では、受け部１３に凹溝１３ａに連通して金属ピン１５の上端部（ガイド面１６ａと対向しない側）を臨む透孔１３ｄが設けてあり、この透孔１３ｄから注入した接着剤１８によって凹溝１３ａ内の金属ピン１５を受け部１３に接着固定することができるので、指先等の軽微な力で金属ピン１５を凹溝１３ａ内へ押し込んで仮固定した後、この金属ピン１５を接着剤１８にて本固定するという作業手順が採用できる。すなわち、金属ピン１５を強嵌合により取り付ける必要がないので、組立作業性を損なうことなく金属ピン１５が付設できるようになっている。しかも、本実施形態例では、凹溝１３ａの長手方向一端部が開口しており、この開口部分から凹溝１３ａ内へまっすぐに金属ピン１５を挿入することができると共に、かかる挿入時に金属ピン１５の端面が該開口部分の周縁部に引っ掛からないようにするための面取り部１５ａ，１３ｃが設けてあるので、金属ピン１５を凹溝１３ａに嵌入させる組立作業を極めて簡単に行うことができる。
【００１９】
なお、金属ピン１５は必ずしもガイド面１６ａの延設方向（母線方向）に対して直交する向きに配置されていなくてもよいが、本実施形態例のように金属ピン１５の長手方向（凹溝１３ａの長手方向）をガイド面１６ａの延設方向に対して直交させておけば、金属ピン１５とガイド面１６ａとを点接触状態に保つことができるので好ましい。すなわち、金属ピン１５の長手方向とガイド面１６ａの延設方向とのなす角度が９０度よりも小さくまたは大きくなればなるほど、両者１５，１６ａは線接触状態に近付いて接触位置のばらつきや摺動抵抗の増大を起こしやすくなるので、移送時に光ピックアップＰの姿勢を傾けてしまったりスレッドモータの負荷を増大させてしまう等の不具合が懸念されるが、金属ピン１５とガイド面１６ａとが点接触状態に保たれていればその心配がなくなる。
【００２０】
【発明の効果】
本発明は、以上説明したような形態で実施され、以下に記載されるような効果を奏する。
【００２１】
被案内部（受け部）を含むベースと、ガイド面を有してベースを摺動可能に支持する移送案内部材とを、共に樹脂成形品となすことでコストダウンや軽量化が図りやすく、かつ、被案内部の凹溝に嵌入した金属ピンを移送案内部材のガイド面に摺接させたので、合成樹脂材どうしを摺接させた場合に懸念される摩耗の進行を抑えることができ、それゆえ信頼性が高く安価な光ピックアップ移送機構を提供することができる。
【図面の簡単な説明】
【図１】本発明の一実施形態例に係るベースの一側部と移送案内部材との係合状態を示す要部正面図である。
【図２】該ベースの一側部と移送案内部材との係合状態を示す要部側面図である。
【図３】光ピックアップの全体平面図である。
【図４】ベースの一側部の斜視図である。
【図５】該ベースの一側部の正面図である。
【図６】該ベースの一側部の側面図である。
【図７】光ピックアップ移送機構の概略を説明するための平面図である。
【符号の説明】
Ｐ  光ピックアップ
１２  ベース
１３，１４  受け部
１３ａ  凹溝
１３ｂ  内底面
１３ｃ  面取り部
１３ｄ  透孔
１５  金属ピン
１５ａ  面取り部
１６  ガイド体
１６ａ  ガイド面
１７  板ばね
１８  接着剤
【図１】
0003727822.tif 000002
【図２】
0003727822.tif 000003
【図３】
0003727822.tif 000004
【図４】
0003727822.tif 000005
【図５】
0003727822.tif 000006
【図６】
0003727822.tif 000007
【図７】
0003727822.tif 000008